(57)【要約】  【課題】  複数の記憶装置（ＨＤＤ）の故障に対しても、番組情報等のコンテンツの配信を続けることができる放送用信号分散記憶装置および放送用信号送信装置を提供する。  【解決手段】  正規のコンテンツの情報を、圧縮したベースデータ（Ｂ）と、このベースデータ（Ｂ）を拡張する拡張情報と、に分離し、さらに、この拡張情報を複数のエンハンスデータ（Ｅ）に分離して、前記ベースデータ（Ｂ）と、前記複数のエンハンスデータ（Ｅ）と、任意に組み合わせて多重化して複数の記憶用ビットストリームを生成するＴＳ分散部１１００と、前記複数の記憶用ビットストリームを、それぞれ記憶する複数のデータ記憶装置１２１０，１２２０，１２３０，１２４０と、を備えることにより、それぞれの記憶装置の記憶情報は小さくしつつ、複数の記憶装置の故障に対しても、番組情報等のストリーム（コンテンツ）の配信を続けることができる。【選択図】  図１
2006050142.tif 000002
【特許請求の範囲】
【請求項１】
１つのコンテンツが納められたオリジナル符号化信号を、複数の符号化信号記憶装置に分散して記憶し、放送用信号を送信する放送用信号分散記憶装置において、
前記オリジナル符号化信号の符号量を削減し、前記オリジナル符号化信号から復元される１次動画像の疑似動画像である２次動画像を復元させる基本符号化信号を生成する基本符号化信号生成手段と、
前記オリジナル符号化信号から前記基本符号化信号に変換する際に欠落する情報から、複数の拡張符号化信号を生成する拡張符号化信号生成手段と、
前記基本符号化信号と、複数の前記拡張符号化信号と、を任意に組み合わせて多重化し、複数の記憶用符号化信号を生成する符号化信号多重化手段と、
前記基本符号化信号が含まれる複数の前記記憶用符号化信号を、それぞれ前記複数の符号化信号記憶装置に記憶させる記憶用符号化信号記憶手段と、
前記複数の符号化信号記憶装置から前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離手段と、
前記基本拡張符号化信号分離手段に抽出された前記１つの基本符号化信号と、前記互いに異なる複数の拡張符号化信号と、を合成して、合成符号化信号を生成する合成符号化信号生成手段と、
前記合成符号化信号生成手段に生成された合成符号化信号を前記放送用信号に変換して送信する放送信号送信手段と、
を備えたことを特徴とする放送用信号分散記憶装置。
【請求項２】
請求項１に記載の放送用信号分散記憶装置において、
前記符号化信号多重化手段が、前記すべての記憶用符号化信号に、前記基本符号化信号を多重化して生成することを特徴とする放送用信号分散記憶装置。
【請求項３】
請求項２に記載の放送用信号分散記憶装置において、
前記符号化信号多重化手段が、前記基本符号化信号と、いずれか１つ以上の前記拡張符号化信号と、を多重化し、それぞれの前記記憶用符号化信号を生成することを特徴とする放送用信号分散記憶装置。
【請求項４】
請求項１から請求項３のいずれか１項に記載の放送用信号分散記憶装置において、
前記基本拡張符号化信号分離手段が、複数の前記符号化信号記憶装置から読み取った前記記憶用符号化信号から抽出した基本符号化信号の中から、信号誤りの少ない基本符号化信号を選択して抽出することを特徴とする放送用信号分散記憶装置。
【請求項５】
請求項１から請求項４のいずれか１項に記載の放送用信号分散記憶装置において、
前記オリジナル符号化信号から音声情報の信号である音声符号化信号を分離する音声符号化信号分離手段と、
分離された前記音声符号化信号を、前記複数の符号化信号記憶装置のいずれかに記憶させる音声符号化信号記憶手段と、
前記複数の符号化信号記憶装置から前記音声符号化信号を抽出する音声符号化信号抽出手段と、を備え、
前記合成符号化信号生成手段が、前記音声符号化信号抽出手段に抽出された前記音声符号化信号を、前記合成符号化信号に合成することを特徴とする放送用信号分散記憶装置。
【請求項６】
請求項５に記載の放送用信号分散記憶装置において、
前記音声符号化信号記憶手段が、前記記憶用符号化信号が記憶されたすべての前記符号化信号記憶装置に、前記音声符号化信号を記憶させることを特徴とする放送用信号分散記憶装置。
【請求項７】
請求項５または請求項６に記載の放送用信号分散記憶装置において、
前記音声符号化信号分離手段が、前記オリジナル符号化信号から前記音声情報のすべてを１つの音声符号化信号として分離し、
前記音声符号化信号記憶手段が、前記１つの音声符号化信号を前記複数の符号化信号記憶装置のいずれかに記憶させることを特徴とする放送用信号分散記憶装置。
【請求項８】
請求項１から４のいずれか１項に記載の放送用信号分散記憶装置において、
前記基本符号化信号生成手段が、前記オリジナル符号化信号から音声情報の信号である音声符号化信号を分離するとともに、前記オリジナル符号化信号から前記音声符号化信号を除いた符号化信号から前記基本符号化信号を生成し、
前記符号化信号多重化手段が、前記基本符号化信号と複数の前記拡張符号化信号とともに、前記音声符号化信号を任意に組み合わせて多重化し、前記複数の記憶用符号化信号を生成し、
前記基本拡張符号化信号分離手段が、前記複数の符号化信号記憶装置から前記記憶用符号化信号を読み取り、前記基本符号化信号と前記拡張符号化信号とともに前記音声符号化信号を分離し、１つの前記基本符号化信号と、互いに異なる複数の前記拡張符号化信号と、前記音声符号化信号と、を抽出し、
前記合成符号化信号生成手段が、前記基本拡張符号化信号分離手段に抽出された前記音声符号化信号を、前記合成符号化信号に合成することを特徴とする放送用信号分散記憶装置。
【請求項９】
複数の符号化信号記憶装置に、１つのコンテンツが納められたオリジナル符号化信号が複数の記憶用符号化信号に分散して記憶され、前記記憶用符号化信号を読み取り、放送用信号を送信する放送用信号送信装置において、
前記オリジナル符号化信号の符号量を削減し、前記オリジナル符号化信号から復元される１次動画像の疑似動画像である２次動画像を復元させる基本符号化信号と、前記オリジナル符号化信号から前記基本符号化信号に変換する際に欠落する情報から生成された複数の拡張符号化信号と、を任意に組み合わせて多重化した複数の記憶用符号化信号をそれぞれ記憶した符号化信号記憶装置から、前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離手段と、
前記基本拡張符号化信号分離手段に抽出された前記１つの基本符号化信号と、前記互いに異なる複数の前記拡張符号化信号と、を合成して、合成符号化信号を生成する合成符号化信号生成手段と、
前記合成符号化信号生成手段に生成された合成符号化信号を放送用信号に変換して送信する放送信号送信手段と、
を備えたことを特徴とする放送用信号送信装置。
【請求項１０】
請求項９に記載の放送用信号送信装置において、
前記基本拡張符号化信号分離手段が、複数の前記符号化信号記憶装置から読み取った前記記憶用符号化信号から抽出した基本符号化信号の中から、信号誤りの少ない基本符号化信号を選択して抽出することを特徴とする放送用信号送信装置。
【請求項１１】
請求項９または請求項１０に記載の放送用信号送信装置において、
前記基本拡張符号化信号分離手段が、前記複数の符号化信号記憶装置から前記記憶用符号化信号を読み取り、前記基本符号化信号と前記拡張符号化信号とともに前記オリジナル符号化信号から音声情報を分離した音声符号化信号を分離し、１つの前記基本符号化信号と、互いに異なる複数の前記拡張符号化信号と、前記音声符号化信号と、を抽出し、
前記合成符号化信号生成手段が、前記基本拡張符号化信号分離手段に抽出された前記１つの基本符号化信号と、前記互いに異なる複数の拡張符号化信号と、が合成された信号に前記音声符号化信号を合成して、前記合成符号化信号を生成することを特徴とする放送用信号送信装置。
【請求項１２】
１つのコンテンツが納められたオリジナル符号化信号を、複数の符号化信号記憶装置に分散して記憶し、放送用信号を送信する放送用信号分散記憶方法において、
前記オリジナル符号化信号の符号量を削減し、前記オリジナル符号化信号から復元される１次動画像の疑似動画像である２次動画像を復元させる基本符号化信号を生成する基本符号化信号生成ステップと、
前記オリジナル符号化信号から前記基本符号化信号に変換する際に欠落する情報から、複数の拡張符号化信号を生成する拡張符号化信号生成ステップと、
前記基本符号化信号と、複数の前記拡張符号化信号と、を任意に組み合わせて多重化し、複数の記憶用符号化信号を生成する符号化信号多重化ステップと、
前記基本符号化信号が含まれる前記記憶用符号化信号を複数含む複数の前記記憶用符号化信号を、それぞれ前記複数の符号化信号記憶装置に記憶させる記憶用符号化信号記憶ステップと、
前記複数の符号化信号記憶装置から前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離ステップと、
前記基本拡張符号化信号分離ステップに抽出された前記１つの基本符号化信号と、前記互いに異なる複数の拡張符号化信号と、を合成して、合成符号化信号を生成する合成符号化信号生成ステップと、
前記合成符号化信号生成ステップで生成された合成符号化信号を前記放送用信号に変換して送信する放送信号送信ステップと、
を備えたことを特徴とする放送用信号分散記憶方法。
【請求項１３】
請求項１２に記載の放送用信号分散記憶方法において、
前記符号化信号多重化ステップが、前記すべての記憶用符号化信号に、前記基本符号化信号を多重化して生成することを特徴とする放送用信号分散記憶方法。
【請求項１４】
請求項１３に記載の放送用信号分散記憶方法において、
前記符号化信号多重化ステップが、前記基本符号化信号と、いずれか１つ以上の前記拡張符号化信号と、を多重化し、それぞれの前記記憶用符号化信号を生成することを特徴とする放送用信号分散記憶方法。
【請求項１５】
請求項１２から請求項１４のいずれか１項に記載の放送用信号分散記憶方法において、
前記基本拡張符号化信号分離ステップが、複数の前記符号化信号記憶装置から読み取った前記記憶用符号化信号から抽出した基本符号化信号の中から、信号誤りの少ない基本符号化信号を選択して抽出することを特徴とする放送用信号分散記憶方法。
【請求項１６】
請求項１２から請求項１５のいずれか１項に記載の放送用信号分散記憶方法において、
前記オリジナル符号化信号から音声情報の信号である音声符号化信号を分離する音声符号化信号分離ステップと、
分離された前記音声符号化信号を、前記複数の符号化信号記憶装置のいずれかに記憶させる音声符号化信号記憶ステップと、
前記複数の符号化信号記憶装置から前記音声符号化信号を抽出する音声符号化信号抽出ステップと、を備え、
前記合成符号化信号生成ステップが、前記音声符号化信号抽出ステップで抽出された前記音声符号化信号を、前記合成符号化信号に合成することを特徴とする放送用信号分散記憶方法。
【請求項１７】
請求項１６に記載の放送用信号分散記憶方法において、
前記音声符号化信号記憶ステップが、前記記憶用符号化信号が記憶されたすべての前記符号化信号記憶装置に、前記音声符号化信号を記憶させることを特徴とする放送用信号分散記憶方法。
【請求項１８】
請求項１６または請求項１７に記載の放送用信号分散記憶方法において、
前記音声符号化信号分離ステップが、前記オリジナル符号化信号から前記音声情報のすべてを１つの音声符号化信号として分離し、
前記音声符号化信号記憶ステップが、前記１つの音声符号化信号を前記複数の符号化信号記憶装置のいずれかに記憶させることを特徴とする放送用信号分散記憶方法。
【請求項１９】
複数の符号化信号記憶装置に、１つのコンテンツが納められたオリジナル符号化信号が複数の記憶用符号化信号に分散して記憶され、前記記憶用符号化信号を読み取り、放送用信号を送信する放送用信号送信方法において、
前記オリジナル符号化信号の符号量を削減し、前記オリジナル符号化信号から復元される１次動画像の疑似動画像である２次動画像を復元させる基本符号化信号と、前記オリジナル符号化信号から前記基本符号化信号に変換する際に欠落する情報から生成された複数の拡張符号化信号と、を任意に組み合わせて多重化した複数の記憶用符号化信号をそれぞれ記憶した符号化信号記憶装置から、前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離ステップと、
前記基本拡張符号化信号分離ステップで抽出された前記１つの基本符号化信号と、前記互いに異なる複数の前記拡張符号化信号と、を合成して、合成符号化信号を生成する合成符号化信号生成ステップと、
前記合成符号化信号生成ステップで生成された合成符号化信号を放送用信号に変換して送信する放送信号送信ステップと、
を備えたことを特徴とする放送用信号送信方法。
【請求項２０】
請求項１９に記載の放送用信号送信方法において、
前記基本拡張符号化信号分離ステップが、複数の前記符号化信号記憶装置から読み取った前記記憶用符号化信号から抽出した基本符号化信号の中から、信号誤りの少ない基本符号化信号を選択して抽出することを特徴とする放送用信号送信方法。
【請求項２１】
請求項１９または請求項２０に記載の放送用信号送信方法において、
前記基本拡張符号化信号分離ステップが、前記複数の符号化信号記憶装置から前記記憶用符号化信号を読み取り、前記基本符号化信号と前記拡張符号化信号とともに前記オリジナル符号化信号から音声情報を分離した音声符号化信号を分離し、１つの前記基本符号化信号と、互いに異なる複数の前記拡張符号化信号と、前記音声符号化信号と、を抽出し、
前記合成符号化信号生成ステップが、前記基本拡張符号化信号分離ステップに抽出された前記１つの基本符号化信号と、前記互いに異なる複数の拡張符号化信号と、が合成された信号に前記音声符号化信号を合成して、前記合成符号化信号を生成することを特徴とする放送用信号送信方法。
【発明の詳細な説明】
【技術分野】
【０００１】
本発明は、放送用途の番組等を記憶する放送用信号の記憶装置および送信装置に関し、特に、複数の記憶装置（ＨＤＤ）の障害に対しても、記憶内容を失わず、番組の提供も継続して行うことができる放送用信号分散記憶装置および放送用信号送信装置に関するものである。
【背景技術】
【０００２】
従来、重要な情報をハードディスク装置等に記憶させておく場合、ディスク障害が発生した場合に備え、記憶させた情報と同等の情報をバックアップデータとして、他の記憶装置、例えば、磁気テープや他のハードディスク等に記憶させている。
【０００３】
さらに、全く同一の情報をバックアップデータとするためには、通常の処理業務を一時的に停止させなくてはならないといった不具合の解消、また、ハードディスク装置等の記憶装置を複数台用いてアクセスを分散させることにより、高速、大容量で信頼性の高いディスク装置を実現するための技術として、ＲＡＩＤ（Redundant Arrays of Independent(Inexpensive) Disks）と呼ばれる技術が提唱されている。
【０００４】
ＲＡＩＤは、その機能によっていくつかの段階に分けることができる。もっとも単純なものでは、複数台のディスクにデータを分散させるだけだが、高度なものになると、書き込むデータにパリティやエラー訂正を付加して、さらにそれらを複数台に分散させ、１台故障してもデータが失われないようにするものである。
【０００５】
ＲＡＩＤは、ＲＡＩＤ１からＲＡＩＤ５という５段階のＲＡＩＤレベルが定義され、さらに、ＲＡＩＤ０とＲＡＩＤ６が追加されている。なお、ＲＡＩＤレベルの番号が大きいからといって、多機能だったり、高性能だったりするわけではない。また、実際の製品に組み込まれているＲＡＩＤレベルは、上記の７段階から選択されるほか、複数のＲＡＩＤレベルを組み合わせたＲＡＩＤ０＋１やＲＡＩＤ１０／３０／５０などといった、共通化されていない独自のＲＡＩＤレベルが実装されることもある。
【０００６】
以下、主なＲＡＩＤレベルについて説明する。
【０００７】
まず、ＲＡＩＤ０のシステム構成図を、図９に示し説明する。
【０００８】
ＲＡＩＤ０は、ディスクストライピングと呼ばれ、データを分割して保存する方式である。この方式では、記憶装置に冗長性がないため耐障害の機能は持っていないが、記憶装置に対する読み書きの処理速度を高速化する方法として用いられる。
【０００９】
図９に示すように、ＲＡＩＤ０において、４つの記憶装置がある場合、［Ａ］、［Ｂ］、［Ｃ］、［Ｄ］というデータを扱うときは、ＨＤＤ２０へ［Ａ］、ＨＤＤ２１へ［Ｂ］、ＨＤＤ２２へ［Ｃ］、ＨＤＤ２３へ［Ｄ］というように、分散させて同時並行で処理することができる。また、複数の記憶装置を１つの論理的記憶装置と扱うことも特徴である。しかし、記憶装置に冗長性を持たせていないためＲＡＩＤではないといわれる場合もある。
【００１０】
次に、ＲＡＩＤ１のシステム構成図を、図１０に示し説明する。
【００１１】
ＲＡＩＤ１は、ミラーリングと呼ばれている方式である。この方式では、２つの記憶装置ＨＤＤ３０とＨＤＤ３１を持ち、書き込み時に同じデータを同時に書き込む。これにより１つの記憶装置が冗長であることで、障害発生時にも他方の記憶装置でデータの保全を実現するものである。例えば［Ａ］、［Ｂ］というデータを扱う場合に、ＨＤＤ３０とＨＤＤ３１は、まったく同じ［Ａ］、［Ｂ］というデータを記録している。そのため、どちらか１つの記録装置に障害が発生しても、他方の記録装置によりデータを維持することができる。しかしながら、２つの記録装置が同時に障害となればデータの保全はできない。また、２つの記憶装置を持つが、内容が同一であるため、ディスクアレイとしての総容量は、１つの記憶装置の容量のままである。
【００１２】
また、読み出し時には、読み出しアルゴリズムの工夫により、性能向上が図られているが、ＲＡＩＤでない通常の記憶装置に比べても、性能向上率はあまり大きいとはいえない。
【００１３】
次に、ＲＡＩＤ５のシステム構成図を、図１１に示し説明する。
【００１４】
ＲＡＩＤ５は、分散パリティと呼ばれ、データを分割し、さらにその分割したデータのパリティデータを作成し、各ディスクに分散保存する方式である（ストライピング（ブロック）とパリティドライブ（分散））。この方式では、３つ以上の記憶装置により構成され、読み書きのデータのパリティを記憶装置に分散させる。この場合、ディスクの高速化も行われるが、パリティデータを作成することによって信頼性も向上する。
【００１５】
図１１に示すように、ＲＡＩＤ５において、４つの記憶装置により構成している場合、パリティによって１つの記憶装置に障害が発生しても、障害発生記憶装置にあるデータを残りの記憶装置のデータにより生成して、処理を継続させることができる。
【００１６】
図１１において、［Ａ］、［Ｂ］、［Ｃ］というデータを扱う場合に、ＨＤＤ４０へ［Ａ］、ＨＤＤ４１へ［Ｂ］、ＨＤＤ４２へ［Ｃ］、ＨＤＤ４３へパリティデータというように各記憶装置へアクセスされる。パリティデータを読み書きする記憶装置は分散するように制御され、この例では、次のアクセスではＨＤＤ４０へパリティデータが記録されるようになる。パリティデータを生成したり、パリティデータによりデータの異常を検査したりするのは、ディスクアレイ制御装置６である。
【００１７】
また、そのパリティデータの生成と検査を、システムのソフトウェアにより代替させる方式も考案されているが、システムのＣＰＵにかかる負荷が大きいため、あまり使用されていない。なお、パリティデータを専用に特定の記憶装置におき、読み書きしているのがＲＡＩＤ４であるが、パリティデータの生成やチェックのための読み出しが特定の記録装置に集中するため、負荷がかかり、処理の速度のボトルネックとなる。ＲＡＩＤ５では、パリティデータも記憶装置に分散させているためパリティデータの生成やチェックにかかる負荷も分散させ、処理速度を向上させることを実現している。
【００１８】
また、ＲＡＩＤ１と異なり３つ以上の記憶装置を扱い、パリティデータ分以外の記憶装置の容量をデータ処理用に扱えるため、記憶装置を追加することでＲＡＩＤ５全体の記憶装置の総容量も大きくすることができる。
【００１９】
さらに、仮に１つの記録装置に障害が発生しても、もう１つの記録装置でデータの保持をするという耐障害性と、読み出し時に２つの記録装置から読み出す順番を最も短時間となるように分析し、読み出しを実行することで高速読み出しを実現するという利点を生かし、ハードディスク等の記録装置を更に１つ追加して、３つの記録装置を用いる構成としたディスクアレイ制御装置が提案されている（例えば、特許文献１参照）。
【００２０】
このディスクアレイ制御装置のシステム構成図を、図１２に示し説明する。
【００２１】
図１２に示すように、このディスクアレイ制御装置５０は、３つの記録装置ＨＤＤ５３、ＨＤＤ５４、ＨＤＤ５５に対し、書き込み時には同時に同じデータを書き込む。読み出し時にはあらかじめ読み出しデータを分析し、最も短時間で読み出せるように、読み出し対象記憶装置を選択したり、読み出し命令を与えたりすることができるアルゴリズムを有するディスクアレイ制御回路５１を持つものである。
【００２２】
このように、ＲＡＩＤ１に対し、記録装置が２つから３つになることで記録装置の耐障害性を向上させている。つまり、１つの記録装置に障害があっても、まだ２つの記録装置でＲＡＩＤ１の構成での稼働が可能であり、さらに１つの記録装置に障害があっても、記録装置に記録されているデータは最後の１つの記録装置により保存されている。３つの記録装置のうち、２つまでが障害となっても、記録データを保証することができるため、通常のＲＡＩＤ１に比べ耐障害性を向上させることができる。
【００２３】
このような従来の技術により、放送用の記憶装置（ＨＤＤレコーダー）は、記憶装置（ＨＤＤ）が故障することも想定してＲＡＩＤ構成を用いた構成とすることが一般的である。例えば、放送用の記憶装置として、ＲＡＩＤ５を使用し、１台のＨＤＤが故障してしまった場合でも、動作に支障がないようにしている。
【特許文献１】特開２００３−３１６５２５号公報
【発明の開示】
【発明が解決しようとする課題】
【００２４】
しかしながら、このような従来の放送用の記憶装置（ＨＤＤレコーダー）においては、１台の記憶装置（ＨＤＤ）故障の場合には、なんら動作に支障はないが、２台以上のＨＤＤの故障に対しては、動作できなくなり、また、番組等の記録内容が完全に失われてしまうという問題があった。このように再生が継続できなかったり、記録内容が失われてしまったりという問題は、放送用途の場合では、致命的な問題となる。
【００２５】
また、２台の記憶装置（ＨＤＤ）の障害に対応するため、従来のディスクアレイ制御装置を使用する場合においては、３つの記憶装置に対してすべて同じデータを書き込むので、記憶できる情報量は、１つの記憶装置の容量しかない。このため、大量の情報を記憶させるためには、大きな記憶容量を待った記憶装置を３台用意しなければならないという問題があった。
【００２６】
また、記憶装置が３台なので、２台までの障害には耐えられるが、３台に障害が起こってしまうと、すべてのデータを消失してしまうという問題点がある。この問題を回避するために、記憶装置の台数を多くすることが考えられるが、記憶装置の台数を多くすると上記のように、大きな記憶容量を持つ記憶装置を多数用意しなければならないという問題が出てきて、これは記憶装置の台数を多くするほど深刻な問題になってしまう。そして、この場合、大容量の記憶装置の台数をいかに増やしても、記憶できる情報量は１台分の記憶容量でしかないという問題もある。
【００２７】
本発明は、このような従来の問題を解決するためになされたもので、正規のコンテンツの情報を、圧縮した基本情報と、この基本情報に付加して正規のコンテンツに近づける拡張情報と、に分離し、さらに、この拡張情報を複数に分離して、前記基本情報および前記複数の拡張情報を複数の記憶装置に分散して記憶を行うことにより、それぞれの記憶装置の記憶情報は小さくしつつ、複数の記憶装置（ＨＤＤ）の故障に対しても、番組情報等のストリーム（コンテンツ）の配信を続けることができる放送用信号分散記憶装置および放送用信号送信装置を提供するものである。
【課題を解決するための手段】
【００２８】
本発明の放送用信号分散記憶装置は、１つのコンテンツが納められたオリジナル符号化信号を、複数の符号化信号記憶装置に分散して記憶し、放送用信号を送信する放送用信号分散記憶装置において、前記オリジナル符号化信号の符号量を削減し、前記オリジナル符号化信号から復元される１次動画像の疑似動画像である２次動画像を復元させる基本符号化信号を生成する基本符号化信号生成手段と、前記オリジナル符号化信号から前記基本符号化信号に変換する際に欠落する情報から、複数の拡張符号化信号を生成する拡張符号化信号生成手段と、前記基本符号化信号と、複数の前記拡張符号化信号と、を任意に組み合わせて多重化し、複数の記憶用符号化信号を生成する符号化信号多重化手段と、前記基本符号化信号が含まれる複数の前記記憶用符号化信号を、それぞれ前記複数の符号化信号記憶装置に記憶させる記憶用符号化信号記憶手段と、前記複数の符号化信号記憶装置から前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離手段と、前記基本拡張符号化信号分離手段に抽出された前記１つの基本符号化信号と、前記互いに異なる複数の拡張符号化信号と、を合成して、合成符号化信号を生成する合成符号化信号生成手段と、前記合成符号化信号生成手段に生成された合成符号化信号を前記放送用信号に変換して送信する放送信号送信手段と、を備えたことを特徴とした構成を有している。
【００２９】
この構成により、複数の符号化信号記憶装置にオリジナル符号化信号より符号量が少ない基本符号化信号と拡張符号化信号が記憶され、複数の符号化信号記憶装置が故障しても他の基本符号化信号が記憶されている符号化信号記憶装置からデータを取り出すことによって放送を継続することができるとともに、放送用のデータを記憶しておく記憶容量も小さくすることができる。
【００３０】
また、本発明の放送用信号分散記憶装置は、請求項１に記載の放送用信号分散記憶装置において、前記符号化信号多重化手段が、前記すべての記憶用符号化信号に、前記基本符号化信号を多重化して生成することを特徴とした構成を有している。
【００３１】
この構成により、記憶用符号化信号が記憶されている符号化信号記憶装置の１つでもデータ読み出しを行うことができれば、放送を継続することができる。
【００３２】
さらに、本発明の放送用信号分散記憶装置は、請求項２に記載の放送用信号分散記憶装置において、前記符号化信号多重化手段が、前記基本符号化信号と、いずれか１つ以上の前記拡張符号化信号と、を多重化し、それぞれの前記記憶用符号化信号を生成することを特徴とした構成を有している。
【００３３】
この構成により、それぞれの符号化信号記憶装置に拡張符号化信号が記憶されており、データ読み出しを行うことができる符号化信号記憶装置の台数分だけ高品質の映像を提供することができる。
【００３４】
さらに、本発明の放送用信号分散記憶装置は、請求項１から請求項３のいずれか１項に記載の放送用信号分散記憶装置において、前記基本拡張符号化信号分離手段が、複数の前記符号化信号記憶装置から読み取った前記記憶用符号化信号から抽出した基本符号化信号の中から、信号誤りの少ない基本符号化信号を選択して抽出することを特徴とした構成を有している。
【００３５】
この構成により、読み書きや保存時の障害が無いもっとも良質な符号化信号を選択することができ、復元時の映像品質を落とさずに再生させることができる。
【００３６】
さらに、本発明の放送用信号分散記憶装置は、請求項１から請求項４のいずれか１項に記載の放送用信号分散記憶装置において、前記オリジナル符号化信号から音声情報の信号である音声符号化信号を分離する音声符号化信号分離手段と、分離された前記音声符号化信号を、前記複数の符号化信号記憶装置のいずれかに記憶させる音声符号化信号記憶手段と、前記複数の符号化信号記憶装置から前記音声符号化信号を抽出する音声符号化信号抽出手段と、を備え、前記合成符号化信号生成手段が、前記音声符号化信号抽出手段に抽出された前記音声符号化信号を、前記合成符号化信号に合成することを特徴とした構成を有している。
【００３７】
この構成により、性質の異なる音声情報と映像情報とを完全に切り離して扱うことができ、取り扱いが容易になるとともに符号量の圧縮率の向上、とりわけ映像情報の圧縮を効率的に行うことができる。
【００３８】
さらに、本発明の放送用信号分散記憶装置は、請求項５に記載の放送用信号分散記憶装置において、前記音声符号化信号記憶手段が、前記記憶用符号化信号が記憶されたすべての前記符号化信号記憶装置に、前記音声符号化信号を記憶させることを特徴とした構成を有している。
【００３９】
この構成により、符号化信号記憶装置の１つでもデータ読み出しを行うことができれば、放送を継続することができる。
【００４０】
さらに、本発明の放送用信号分散記憶装置は、請求項５または請求項６に記載の放送用信号分散記憶装置において、前記音声符号化信号分離手段が、前記オリジナル符号化信号から前記音声情報のすべてを１つの音声符号化信号として分離し、前記音声符号化信号記憶手段が、前記１つの音声符号化信号を前記複数の符号化信号記憶装置のいずれかに記憶させることを特徴とした構成を有している。
【００４１】
この構成により、音声符号化信号の分散によるノイズの発生を起こすことが無く、復元時の音声をクリアなものとすることができる。
【００４２】
さらに、本発明の放送用信号分散記憶装置は、請求項１から４のいずれか１項に記載の放送用信号分散記憶装置において、前記基本符号化信号生成手段が、前記オリジナル符号化信号から音声情報の信号である音声符号化信号を分離するとともに、前記オリジナル符号化信号から前記音声符号化信号を除いた符号化信号から前記基本符号化信号を生成し、前記符号化信号多重化手段が、前記基本符号化信号と複数の前記拡張符号化信号とともに、前記音声符号化信号を任意に組み合わせて多重化し、前記複数の記憶用符号化信号を生成し、前記基本拡張符号化信号分離手段が、前記複数の符号化信号記憶装置から前記記憶用符号化信号を読み取り、前記基本符号化信号と前記拡張符号化信号とともに前記音声符号化信号を分離し、１つの前記基本符号化信号と、互いに異なる複数の前記拡張符号化信号と、前記音声符号化信号と、を抽出し、前記合成符号化信号生成手段が、前記基本拡張符号化信号分離手段に抽出された前記音声符号化信号を、前記合成符号化信号に合成することを特徴とした構成を有している。
【００４３】
この構成により、音声データ分離部や音声データ抽出部を設けずに、性質の異なる音声情報と映像情報とを切り離して扱うことができ、取り扱いを容易にすることができる。
【００４４】
さらに、本発明の放送用信号送信装置は、複数の符号化信号記憶装置に、１つのコンテンツが納められたオリジナル符号化信号が複数の記憶用符号化信号に分散して記憶され、前記記憶用符号化信号を読み取り、放送用信号を送信する放送用信号送信装置において、前記オリジナル符号化信号の符号量を削減し、前記オリジナル符号化信号から復元される１次動画像の疑似動画像である２次動画像を復元させる基本符号化信号と、前記オリジナル符号化信号から前記基本符号化信号に変換する際に欠落する情報から生成された複数の拡張符号化信号と、を任意に組み合わせて多重化した複数の記憶用符号化信号をそれぞれ記憶した符号化信号記憶装置から、前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離手段と、前記基本拡張符号化信号分離手段に抽出された前記１つの基本符号化信号と、前記互いに異なる複数の前記拡張符号化信号と、を合成して、合成符号化信号を生成する合成符号化信号生成手段と、前記合成符号化信号生成手段に生成された合成符号化信号を放送用信号に変換して送信する放送信号送信手段と、を備えたことを特徴とした構成を有している。
【００４５】
この構成により、複数の符号化信号記憶装置が故障しても他の基本符号化信号が記憶されている符号化信号記憶装置からデータを取り出すことによって放送を継続することができる。
【００４６】
さらに、本発明の放送用信号送信装置は、請求項９に記載の放送用信号送信装置において、前記基本拡張符号化信号分離手段が、複数の前記符号化信号記憶装置から読み取った前記記憶用符号化信号から抽出した基本符号化信号の中から、信号誤りの少ない基本符号化信号を選択して抽出することを特徴とした構成を有している。
【００４７】
この構成により、読み書きや保存時の障害が無いもっとも良質な符号化信号を選択することができ、復元時の映像品質を落とさずに再生させることができる。
【００４８】
さらに、本発明の放送用信号送信装置は、請求項９または請求項１０に記載の放送用信号送信装置において、前記基本拡張符号化信号分離手段が、前記複数の符号化信号記憶装置から前記記憶用符号化信号を読み取り、前記基本符号化信号と前記拡張符号化信号とともに前記オリジナル符号化信号から音声情報を分離した音声符号化信号を分離し、１つの前記基本符号化信号と、互いに異なる複数の前記拡張符号化信号と、前記音声符号化信号と、を抽出し、前記合成符号化信号生成手段が、前記基本拡張符号化信号分離手段に抽出された前記１つの基本符号化信号と、前記互いに異なる複数の拡張符号化信号と、が合成された信号に前記音声符号化信号を合成して、前記合成符号化信号を生成することを特徴とした構成を有している。
【００４９】
この構成により、性質の異なる音声情報と映像情報とを切り離して扱うことができ、取り扱いが容易になるとともに符号量の圧縮率の向上、とりわけ映像情報の圧縮を効率的に行うことができる。
【００５０】
さらに、本発明の放送用信号分散記憶方法は、１つのコンテンツが納められたオリジナル符号化信号を、複数の符号化信号記憶装置に分散して記憶し、放送用信号を送信する放送用信号分散記憶方法において、前記オリジナル符号化信号の符号量を削減し、前記オリジナル符号化信号から復元される１次動画像の疑似動画像である２次動画像を復元させる基本符号化信号を生成する基本符号化信号生成ステップと、前記オリジナル符号化信号から前記基本符号化信号に変換する際に欠落する情報から、複数の拡張符号化信号を生成する拡張符号化信号生成ステップと、前記基本符号化信号と、複数の前記拡張符号化信号と、を任意に組み合わせて多重化し、複数の記憶用符号化信号を生成する符号化信号多重化ステップと、前記基本符号化信号が含まれる前記記憶用符号化信号を複数含む複数の前記記憶用符号化信号を、それぞれ前記複数の符号化信号記憶装置に記憶させる記憶用符号化信号記憶ステップと、前記複数の符号化信号記憶装置から前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離ステップと、前記基本拡張符号化信号分離ステップに抽出された前記１つの基本符号化信号と、前記互いに異なる複数の拡張符号化信号と、を合成して、合成符号化信号を生成する合成符号化信号生成ステップと、前記合成符号化信号生成ステップで生成された合成符号化信号を前記放送用信号に変換して送信する放送信号送信ステップと、を備えたことを特徴とした構成を有している。
【００５１】
この構成により、複数の符号化信号記憶装置にオリジナル符号化信号より符号量が少ない基本符号化信号と拡張符号化信号が記憶され、複数の符号化信号記憶装置が故障しても他の基本符号化信号が記憶されている符号化信号記憶装置からデータを取り出すことによって放送を継続することができるとともに、放送用のデータを記憶しておく記憶容量も小さくすることができる。
【００５２】
さらに、本発明の放送用信号分散記憶方法は、請求項１２に記載の放送用信号分散記憶方法において、前記符号化信号多重化ステップが、前記すべての記憶用符号化信号に、前記基本符号化信号を多重化して生成することを特徴とした構成を有している。
【００５３】
この構成により、記憶用符号化信号が記憶されている符号化信号記憶装置の１つでもデータ読み出しを行うことができれば、放送を継続することができる。
【００５４】
さらに、本発明の放送用信号分散記憶方法は、請求項１３に記載の放送用信号分散記憶方法において、前記符号化信号多重化ステップが、前記基本符号化信号と、いずれか１つ以上の前記拡張符号化信号と、を多重化し、それぞれの前記記憶用符号化信号を生成することを特徴とした構成を有している。
【００５５】
この構成により、それぞれの符号化信号記憶装置に拡張符号化信号が記憶されており、データ読み出しを行うことができる符号化信号記憶装置の台数分だけ高品質の映像を提供することができる。
【００５６】
さらに、本発明の放送用信号分散記憶方法は、請求項１２から請求項１４のいずれか１項に記載の放送用信号分散記憶方法において、前記基本拡張符号化信号分離ステップが、複数の前記符号化信号記憶装置から読み取った前記記憶用符号化信号から抽出した基本符号化信号の中から、信号誤りの少ない基本符号化信号を選択して抽出することを特徴とした構成を有している。
【００５７】
この構成により、読み書きや保存時の障害が無いもっとも良質な符号化信号を選択することができ、復元時の映像品質を落とさずに再生させることができる。
【００５８】
さらに、本発明の放送用信号分散記憶方法は、請求項１２から請求項１５のいずれか１項に記載の放送用信号分散記憶方法において、前記オリジナル符号化信号から音声情報の信号である音声符号化信号を分離する音声符号化信号分離ステップと、分離された前記音声符号化信号を、前記複数の符号化信号記憶装置のいずれかに記憶させる音声符号化信号記憶ステップと、前記複数の符号化信号記憶装置から前記音声符号化信号を抽出する音声符号化信号抽出ステップと、を備え、前記合成符号化信号生成ステップが、前記音声符号化信号抽出ステップで抽出された前記音声符号化信号を、前記合成符号化信号に合成することを特徴とした構成を有している。
【００５９】
この構成により、性質の異なる音声情報と映像情報とを完全に切り離して扱うことができ、取り扱いが容易になるとともに符号量の圧縮率の向上、とりわけ映像情報の圧縮を効率的に行うことができる。
【００６０】
さらに、本発明の放送用信号分散記憶方法は、請求項１６に記載の放送用信号分散記憶方法において、前記音声符号化信号記憶ステップが、前記記憶用符号化信号が記憶されたすべての前記符号化信号記憶装置に、前記音声符号化信号を記憶させることを特徴とした構成を有している。
【００６１】
この構成により、符号化信号記憶装置の１つでもデータ読み出しを行うことができれば、放送を継続することができる。
【００６２】
さらに、本発明の放送用信号分散記憶方法は、請求項１６または請求項１７に記載の放送用信号分散記憶方法において、前記音声符号化信号分離ステップが、前記オリジナル符号化信号から前記音声情報のすべてを１つの音声符号化信号として分離し、前記音声符号化信号記憶ステップが、前記１つの音声符号化信号を前記複数の符号化信号記憶装置のいずれかに記憶させることを特徴とした構成を有している。
【００６３】
この構成により、音声符号化信号の分散によるノイズの発生を起こすことが無く、復元時の音声をクリアなものとすることができる。
【００６４】
さらに、本発明の放送用信号送信方法は、複数の符号化信号記憶装置に、１つのコンテンツが納められたオリジナル符号化信号が複数の記憶用符号化信号に分散して記憶され、前記記憶用符号化信号を読み取り、放送用信号を送信する放送用信号送信方法において、前記オリジナル符号化信号の符号量を削減し、前記オリジナル符号化信号から復元される１次動画像の疑似動画像である２次動画像を復元させる基本符号化信号と、前記オリジナル符号化信号から前記基本符号化信号に変換する際に欠落する情報から生成された複数の拡張符号化信号と、を任意に組み合わせて多重化した複数の記憶用符号化信号をそれぞれ記憶した符号化信号記憶装置から、前記記憶用符号化信号を読み取り、前記基本符号化信号と前記拡張符号化信号とを分離し、１つの前記基本符号化信号と、互いに異なる複数の前記拡張符号化信号と、を抽出する基本拡張符号化信号分離ステップと、前記基本拡張符号化信号分離ステップで抽出された前記１つの基本符号化信号と、前記互いに異なる複数の前記拡張符号化信号と、を合成して、合成符号化信号を生成する合成符号化信号生成ステップと、前記合成符号化信号生成ステップで生成された合成符号化信号を放送用信号に変換して送信する放送信号送信ステップと、を備えたことを特徴とした構成を有している。
【００６５】
この構成により、複数の符号化信号記憶装置が故障しても他の基本符号化信号が記憶されている符号化信号記憶装置からデータを取り出すことによって放送を継続することができる。
【００６６】
さらに、本発明の放送用信号送信方法は、請求項１９に記載の放送用信号送信方法において、前記基本拡張符号化信号分離ステップが、複数の前記符号化信号記憶装置から読み取った前記記憶用符号化信号から抽出した基本符号化信号の中から、信号誤りの少ない基本符号化信号を選択して抽出することを特徴とした構成を有している。
【００６７】
この構成により、読み書きや保存時の障害が無いもっとも良質な符号化信号を選択することができ、復元時の映像品質を落とさずに再生させることができる。
【００６８】
さらに、本発明の放送用信号送信方法は、請求項１９または請求項２０に記載の放送用信号送信方法において、前記基本拡張符号化信号分離ステップが、前記複数の符号化信号記憶装置から前記記憶用符号化信号を読み取り、前記基本符号化信号と前記拡張符号化信号とともに前記オリジナル符号化信号から音声情報を分離した音声符号化信号を分離し、１つの前記基本符号化信号と、互いに異なる複数の前記拡張符号化信号と、前記音声符号化信号と、を抽出し、前記合成符号化信号生成ステップが、前記基本拡張符号化信号分離ステップに抽出された前記１つの基本符号化信号と、前記互いに異なる複数の拡張符号化信号と、が合成された信号に前記音声符号化信号を合成して、前記合成符号化信号を生成することを特徴とした構成を有している。
【００６９】
この構成により、性質の異なる音声情報と映像情報とを切り離して扱うことができ、取り扱いが容易になるとともに符号量の圧縮率の向上、とりわけ映像情報の圧縮を効率的に行うことができる。
【発明の効果】
【００７０】
本発明は、オリジナル符号化信号の符号量を削減した基本符号化信号と、差分情報である複数の拡張符号化信号と、を生成し、前記基本符号化信号と複数の前記拡張符号化信号とを任意に組み合わせて多重化した前記基本符号化信号が含まれる複数の前記記憶用符号化信号を、それぞれ複数の符号化信号記憶装置に記憶させ、この複数の符号化信号記憶装置から前記記憶用符号化信号を読み取り、１つの基本符号化信号と互いに異なる複数の拡張符号化信号とを抽出し、合成して、放送用信号に変換して送信するので、複数の符号化信号記憶装置にオリジナル符号化信号より符号量が少ない基本符号化信号と拡張符号化信号が記憶され、複数の符号化信号記憶装置が故障しても他の基本符号化信号が記憶されている符号化信号記憶装置からデータを取り出すことによって放送を継続することができるとともに、放送用のデータを記憶しておく記憶容量も小さくすることができる。
【００７１】
また、本発明は、前記すべての記憶用符号化信号に、前記基本符号化信号を多重化して生成するので、記憶用符号化信号が記憶されている符号化信号記憶装置の１つでもデータ読み出しを行うことができれば、放送を継続することができる。
【００７２】
さらに、本発明は、前記基本符号化信号と、いずれか１つ以上の前記拡張符号化信号と、を多重化し、それぞれの前記記憶用符号化信号を生成するので、それぞれの符号化信号記憶装置に拡張符号化信号が記憶されており、データ読み出しを行うことができる符号化信号記憶装置の台数分だけ高品質の映像を提供することができる。
【００７３】
さらに、本発明は、複数の前記符号化信号記憶装置から読み取った前記記憶用符号化信号から信号誤りの少ない基本符号化信号を選択して抽出するので、読み書きや保存時の障害が無いもっとも良質な符号化信号を選択することができ、復元時の映像品質を落とさずに再生させることができる。
【００７４】
さらに、本発明は、前記オリジナル符号化信号から音声情報の信号である音声符号化信号を分離し、前記音声符号化信号を前記複数の符号化信号記憶装置のいずれかに記憶させ、前記複数の符号化信号記憶装置から前記音声符号化信号を抽出し、抽出された前記音声符号化信号を前記合成符号化信号に合成するので、性質の異なる音声情報と映像情報とを完全に切り離して扱うことができ、取り扱いが容易になるとともに符号量の圧縮率の向上、とりわけ映像情報の圧縮を効率的に行うことができる。
【００７５】
さらに、本発明は、前記記憶用符号化信号が記憶されたすべての前記符号化信号記憶装置に、前記音声符号化信号を記憶させるので、符号化信号記憶装置の１つでもデータ読み出しを行うことができれば、放送を継続することができる。
【００７６】
さらに、本発明は、前記オリジナル符号化信号から前記音声情報のすべてを１つの音声符号化信号として分離し、前記符号化信号記憶装置に記憶させるので、音声符号化信号の分散によるノイズの発生を起こすことが無く、復元時の音声をクリアなものとすることができる。
【００７７】
さらに、本発明は、前記オリジナル符号化信号から音声情報の信号である音声符号化信号を分離するとともに、前記オリジナル符号化信号から前記音声符号化信号を除いた符号化信号から前記基本符号化信号を生成し、前記基本符号化信号と複数の前記拡張符号化信号とともに、前記音声符号化信号を任意に組み合わせて多重化し、前記複数の記憶用符号化信号を生成し、前記複数の符号化信号記憶装置から前記記憶用符号化信号を読み取り、前記基本符号化信号と前記拡張符号化信号とともに前記音声符号化信号を分離し、前記音声符号化信号を前記合成符号化信号に合成するので、音声データ分離部や音声データ抽出部を設けずに、性質の異なる音声情報と映像情報とを切り離して扱うことができ、取り扱いを容易にすることができる。
【発明を実施するための最良の形態】
【００７８】
以下、本発明の実施の形態における放送用信号分散記憶装置について、図面を用いて説明する。なお、本放送用信号分散記憶装置は、特願２００３−０５４０４８号公報記載の「符号化信号分離・合成装置」および特願２００３−３８１８５９号公報記載の「符号化信号分離・合成装置」の技術を用いて、オリジナルの符号化信号の分離および合成処理を行う。
【００７９】
上記特願２００３−０５４０４８号公報および上記特願２００３−３８１８５９号公報記載の「符号化信号分離・合成装置」は、符号量削減前の第１符号化信号（オリジナルの符号化信号）を入力し、この第１符号化信号に符号量変換処理を行い、符号量を削減した第２符号化信号（基本符号化信号）に変換して出力するとともに、前記第１符号化信号と前記第２符号化信号との差分情報の一部である拡張差分符号化信号（拡張符号化信号）を複数生成して出力するストリーム分離装置と、前記第２符号化信号を入力するとともに、前記拡張差分符号化信号を入力して、前記第２符号化信号と前記拡張差分符号化信号とを合成して合成符号化信号を生成するストリーム合成装置と、により、もとの信号を受信せずに、符号量削減後の第２符号化信号を利用して、符号量削減前の第１符号化信号と同じ、または、第１符号化信号と同じではないが第２符号化信号より高品質な映像を再生することができる符号化信号を得るものである。
【００８０】
（第１の実施の形態）
本発明の第１の実施の形態における放送用信号分散記憶装置の構成を示すブロック図を、図１に示す。なお、以下の実施の形態においては、番組等のコンテンツの情報は、オリジナル符号化信号としてＭＰＥＧ−ＴＳ（トランスポート・ストリーム）として入力されるものとする。ＭＰＥＧ−ＴＳとは、複数のプログラムを１本のストリームにできるものである。
【００８１】
図１に示すように、放送用信号分散記憶装置１０００は、ＴＳ分散部１１００、ストリームデータ記憶部１２００、ＴＳ合成部１３００およびストリームデータ復号部１４００を備え、ＭＰＥＧ−ＴＳを入力し、記憶用ビットストリームに変換し、複数の記憶装置に分散して記憶して、さらに、分散して記憶した記憶用ビットストリームを合成して、放送用の信号に変換し、出力するものである。
【００８２】
ＴＳ分散部１１００の構成を示すブロック図を、図２に示す。
【００８３】
図２に示すように、ＴＳ分散部１１００は、ベースデータ生成部１１２０、エンハンスデータ生成部１１３０および記憶用データ多重化部１１４０を備え、ＭＰＥＧ−ＴＳを入力し、基本符号化信号であるベースデータ（Ｂ）と、拡張符号化信号であるエンハンスデータ（Ｅ）を複数生成し、前記ベースデータ（Ｂ）と、前記複数のエンハンスデータ（Ｅ）と、を任意に組み合わせ多重化し、複数の記憶用ビットストリームを生成するものである。
【００８４】
ここで、ベースデータ（Ｂ）とエンハンスデータ（Ｅ）について、説明する。
【００８５】
まず、ＭＰＥＧ−ＴＳは、復号すると高品質な映像信号を得ることができるビットストリームである。この映像を「１次動画像」とする。このＭＰＥＧ−ＴＳは、高品質な映像を得ることができるが、符号量が大きいため、データ保存時に大きな容量を食うばかりでなく、データ送受信時に時間がかかる等の不都合がある。
【００８６】
このような不都合を解消するため、このＭＰＥＧ−ＴＳの中から省略しても影響の少ないものの情報を削減し、もとのＭＰＥＧ−ＴＳより符号量の小さなビットストリームに変換するものがある。これをトランスコード（符号量変換、符号量圧縮）といい、このとき、ＭＰＥＧ−ＴＳから符号量が削減されるように変換されたビットストリームが基本となるデータであるので、ベースデータ（Ｂ）とする。また、ベースデータ（Ｂ）から復号される映像を「２次動画像」とする。この「２次動画像」は、ＭＰＥＧ−ＴＳより符号量が少ないベースデータ（Ｂ）から復号されるものなので、「１次動画像」より映像の品質は劣化する。
【００８７】
通常、トランスコードされた後はベースデータ（Ｂ）のみを取り扱い、低品質の映像を得るだけである。このため、トランスコード後の受信側では、もとの映像品質を得ることができない。または、もとの映像品質を得るためには、もとのＭＰＥＧ−ＴＳを受信しなければならない。そこで、トランスコードにより残る情報を基本階層とし、トランスコードにより欠落する情報を拡張階層として、この拡張階層の情報から複数のエンハンスデータ（Ｅ）を得るというのが、上記特願２００３−０５４０４８号公報および上記特願２００３−３８１８５９号公報記載の「符号化信号分離・合成装置」である。
【００８８】
この拡張階層の情報は、ＭＰＥＧ−ＴＳとベースデータ（Ｂ）との差分情報であり、例えば、トランスコードの際の再量子化により丸められる係数情報がある。ここで得られた差分情報を複数に分散してビットストリームを生成することにより、それぞれのエンハンスデータ（Ｅ）を得ることができる。
【００８９】
ＴＳ分散部１１００の説明に戻り、ベースデータ生成部１１２０は、ＭＰＥＧ−ＴＳの符号量を削減し、前記ＭＰＥＧ−ＴＳから復元される１次動画像の疑似動画像である２次動画像を復元させるベースデータ（Ｂ）を生成し、出力するものである。この処理は、通常のトランスコーダーと同一の処理である。
【００９０】
また、ベースデータ生成部１１２０は、入力したＭＰＥＧ−ＴＳと生成したベースデータ（Ｂ）との差分情報（ＭＰＥＧ−ＴＳからベースデータ（Ｂ）に変換する際に欠落する情報）を出力する。さらに、ＭＰＥＧ−ＴＳからベースデータ（Ｂ）に変換する際の変換情報（圧縮情報）を出力することもできる。上記差分情報（変換の際に欠落する情報）とは、ＭＰＥＧ−ＴＳをベースデータ（Ｂ）に圧縮する際に切り捨てられる情報であり、この情報を拡張階層のデータとし、上記トランスコードにより残る情報（ベースデータ（Ｂ））を基本階層のデータとする。
【００９１】
ここで、ベースデータ（Ｂ）は、上記のようにＭＰＥＧ−ＴＳの符号量を削減したものであるから、
（ベースデータ（Ｂ）の符号量)＜(ＭＰＥＧ−ＴＳの符号量）
である。
【００９２】
エンハンスデータ生成部１１３０は、上記差分情報を複数に分散し、それぞれエンハンスデータ（Ｅｎ）（ｎは任意の整数）を生成するものである。このエンハンスデータ（Ｅｎ）のすべてと、上記ベースデータ（Ｂ）と、を合成することにより、元のＭＰＥＧ−ＴＳを復元することができ、全く同じ映像を再生することができる。また、この拡張階層のデータを複数に分散して、複数のエンハンスデータ（Ｅ）とすることにより、すべてのエンハンスデータ（Ｅｎ）が得られなくても、ベースデータ（Ｂ）と得られたエンハンスデータ（Ｅｎ）だけで、ベースデータ（Ｂ）のみから得られる映像よりも高品質な映像を得ることができる。
【００９３】
記憶用データ多重化部１１４０は、ベースデータ生成部１１２０に生成されたベースデータ（Ｂ）と、エンハンスデータ生成部１１３０に生成された複数のエンハンスデータ（Ｅ）と、を任意に組み合わせて多重化し、複数の記憶用ビットストリームを生成するものである。
【００９４】
次に、ストリームデータ記憶部１２００は、複数のデータ記憶装置１２１０，１２２０，１２３０，１２４０を備え、ＴＳ分散部１１００により多重化された複数の記憶用ビットストリームを記憶するものである。
【００９５】
データ記憶装置１２１０，１２２０，１２３０，１２４０は、それぞれ同様のものであり、ＨＤＤ等の記憶装置である。また、データ記憶装置１２１０，１２２０，１２３０，１２４０は、複数あればよく、数に限定されないが、本実施の形態においては４つとする。さらに、データ記憶装置１２１０，１２２０，１２３０，１２４０のそれぞれは、記憶容量が異なっても構わない。
【００９６】
各データ記憶装置１２１０，１２２０，１２３０，１２４０は、記憶用データ多重化部１１４０に多重化された前記記憶用ビットストリームを、それぞれ記憶するものである。
【００９７】
ＴＳ合成部１３００の構成を示すブロック図を、図３に示す。
【００９８】
図３に示すように、ＴＳ合成部１３００は、記憶用データ多重分離部１３１０および合成データ生成部１３２０を備え、ストリームデータ記憶部１２００に記憶された複数の記憶用ビットストリームを入力し、ベースデータ（Ｂ）と複数のエンハンスデータ（Ｅ）とに分けてそれぞれを合成して、合成ビットストリームを生成するものである。
【００９９】
記憶用データ多重分離部１３１０は、複数のデータ記憶装置１２１０，１２２０，１２３０，１２４０からそれぞれ前記記憶用ビットストリームを読み取り、ベースデータ（Ｂ）とエンハンスデータ（Ｅｎ）とを分離し、１つのベースデータ（Ｂ）と、互いに異なる複数のエンハンスデータ（Ｅｎ）と、を抽出するものである。
【０１００】
合成データ生成部１３２０は、記憶用データ多重分離部１３１０に抽出された前記ベースデータ（Ｂ）と、複数の前記エンハンスデータ（Ｅｎ）と、を合成して、合成ビットストリームを生成するものである。この合成により、入力したＭＰＥＧ−ＴＳとまったく同じ合成ビットストリーム、あるいは、ベースデータ（Ｂ）から再生される映像よりも高品質な映像を生成することができる合成ビットストリームを得ることができる。
【０１０１】
次に、ストリームデータ復号部１４００は、合成データ復号部および放送用信号送信部を備え、ＴＳ合成部１３００に合成された合成ビットストリームを復号し、放送用信号に変換して送信するものである。
【０１０２】
合成データ復号部は、合成データ生成部１３２０に生成された合成ビットストリームを、記憶および復号して映像信号を生成するものである。放送用信号送信部は、合成データ復号部に生成された映像信号を、放送用の映像信号に変換し、この放送用信号を送信するものである。
【０１０３】
次に、本実施の形態における放送用信号分散記憶装置１０００の分散記憶、放送用信号送信処理動作について、説明する。
【０１０４】
まず、放送用信号分散記憶装置１０００では、ＭＰＥＧ−ＴＳを入力すると、ＴＳ分散部１１００のベースデータ生成部１１２０に取り込む。ベースデータ生成部１１２０では、ＭＰＥＧ−ＴＳをトランスコード（符号量圧縮）して、ベースデータ（Ｂ）を生成し、出力する。さらに、ベースデータ（Ｂ）の生成と同時に、ＭＰＥＧ−ＴＳから欠落する情報（差分情報）を出力する。このベースデータ生成部１１２０から出力される差分情報とは、例えば、再量子化パラメータによる量子化で丸められる係数情報や、ＭＰＥＧ−ＴＳ生成時の量子化パラメータ等である。
【０１０５】
エンハンスデータ生成部１１３０では、ベースデータ生成部１１２０から上記差分情報を入力し、任意に分割する。そして分割したそれぞれの差分情報から、エンハンスデータ（Ｅ）を生成し、出力する。ここでは、差分情報４つに分割し、４つのエンハンスデータ（Ｅ１）、（Ｅ２）、（Ｅ３）、（Ｅ４）を生成するものとする。また、この差分情報の分割方法としては、上記特願２００３−０５４０４８号公報記載の方法、上記特願２００３−３８１８５９号公報記載の方法がある。
【０１０６】
記憶用データ多重化部１１４０では、ベースデータ生成部１１２０から出力されたベースデータ（Ｂ）と、エンハンスデータ生成部１１３０から出力されたエンハンスデータ（Ｅ１）、（Ｅ２）、（Ｅ３）、（Ｅ４）を入力し、任意に組み合わせ多重化し、複数の記憶用ビットストリームを生成し、出力する。ここでは、ベースデータ（Ｂ）にエンハンスデータ（Ｅ１）、（Ｅ２）、（Ｅ３）、（Ｅ４）をそれぞれ多重化し、４つの記憶用ビットストリーム（Ｂ＋Ｅ１）、（Ｂ＋Ｅ２）、（Ｂ＋Ｅ３）、（Ｂ＋Ｅ４）を生成し、出力するものとする。
【０１０７】
以上の処理で、ＴＳ分散部１１００により、ＭＰＥＧ−ＴＳを変換して、４つの記憶用ビットストリーム（Ｂ＋Ｅ１）、（Ｂ＋Ｅ２）、（Ｂ＋Ｅ３）、（Ｂ＋Ｅ４）が生成される。
【０１０８】
続いて、ＴＳ分散部１１００から出力された４つの記憶用ビットストリーム（Ｂ＋Ｅ１）、（Ｂ＋Ｅ２）、（Ｂ＋Ｅ３）、（Ｂ＋Ｅ４）は、ストリームデータ記憶部１２００の４つのデータ記憶装置１２１０，１２２０，１２３０，１２４０にそれぞれ入力され、記憶される。
【０１０９】
以上の分散記憶処理を簡単に表した模式図を、図４に示す。上記のように、ＴＳデータをベースデータ（Ｂ）と、複数のエンハンスデータ（Ｅ１〜Ｅ４）に分離し、ベースデータ（Ｂ）とそれぞれのエンハンスデータ（Ｅ１〜Ｅ４）を多重化し、各ストリームデータ記憶装置１２１０，１２２０，１２３０，１２４０に記憶させる。したがって、ストリームデータ記憶装置１２１０には、ベースデータ（Ｂ）とエンハンスデータ（Ｅ１）を多重化した（Ｂ＋Ｅ１）が、ストリームデータ記憶装置１２２０には（Ｂ＋Ｅ２）が、ストリームデータ記憶装置１２３０には（Ｂ＋Ｅ３）が、ストリームデータ記憶装置１２４０には（Ｂ＋Ｅ４）が、それぞれ記憶される。
【０１１０】
ここで、上記説明したように、ベースデータ（Ｂ）は、基本データでこれのみでも映像劣化はあるものの再生は可能なものである。エンハンスデータ（Ｅｎ）（１≦ｎ≦４）は、拡張データでこれのみでは再生はできず、ベースデータ（Ｂ）と合わせることで再生が可能なものである。したがって、データ記憶装置１２１０，１２２０，１２３０，１２４０のうちの複数台に故障が発生しても、残りの装置からデータを取り出して映像を復元することができる。
【０１１１】
次に、ＴＳ合成部１３００がストリームデータ記憶部１２００から記憶用ビットストリームを入力する。具体的には、ＴＳ合成部１３００の記憶用データ多重分離部１３１０が、ストリームデータ記憶部１２００のデータ記憶装置１２１０から記憶用ビットストリーム（Ｂ＋Ｅ１）を入力し、データ記憶装置１２２０から記憶用ビットストリーム（Ｂ＋Ｅ２）を入力し、データ記憶装置１２３０から記憶用ビットストリーム（Ｂ＋Ｅ３）を入力し、データ記憶装置１２４０から記憶用ビットストリーム（Ｂ＋Ｅ４）を入力する。ここでは、故障などにより読み込みができないデータ記憶装置１２１０，１２２０，１２３０，１２４０については記憶用ビットストリーム（Ｂ＋Ｅｎ）の入力を断念する。
【０１１２】
記憶用データ多重分離部１３１０では、入力した記憶用ビットストリーム（Ｂ＋Ｅ１）、（Ｂ＋Ｅ２）、（Ｂ＋Ｅ３）、（Ｂ＋Ｅ４）を、多重分離し、ベースデータ（Ｂ）と、エンハンスデータ（Ｅ１）、（Ｅ２）、（Ｅ３）、（Ｅ４）とに、それぞれ分離し、出力する。
【０１１３】
ここで、ベースデータ（Ｂ）は、すべての記憶用ビットストリーム（Ｂ＋Ｅ１）、（Ｂ＋Ｅ２）、（Ｂ＋Ｅ３）、（Ｂ＋Ｅ４）に多重化されているため、４つ分離されるが、１つのベースデータ（Ｂ）のみ出力すればよい。また、多重化の方法によっては、エンハンスデータ（Ｅｎ）が複数分離される場合もあるが、この場合も１つのエンハンスデータ（Ｅｎ）のみ出力すればよい。
【０１１４】
合成データ生成部１３２０では、記憶用データ多重分離部１３１０から出力されたベースデータ（Ｂ）、エンハンスデータ（Ｅ１）、（Ｅ２）、（Ｅ３）、（Ｅ４）を入力し、合成処理を行って合成ビットストリームを生成し、出力する。このとき、エンハンスデータ（Ｅｎ）のすべてが入力できれば、生成される合成ビットストリームは、放送用信号分散記憶装置１０００に入力されたＭＰＥＧ−ＴＳとまったく同一のビットストリームを復元することができる。また、エンハンスデータ（Ｅｎ）のいずれかが入力できなかったとしても、ベースデータ（Ｂ）が入力できれば、画像劣化等が多少あってももとの映像を再生することができる合成ビットストリームを生成することができる。
【０１１５】
次に、ストリームデータ復号部１４００では、ＴＳ合成部１３００から合成ビットストリームを入力する。ストリームデータ復号部１４００の合成データ復号部は、ＴＳ合成部１３００の合成データ生成部１３２０から合成ビットストリームを入力し、復号して映像信号を生成する。合成データ復号部に生成された映像信号は、放送用信号送信部に入力され、放送用の映像信号に変換され、送信される。
【０１１６】
以上により、ＴＳ合成部１３００で記憶用ビットストリームを入力して合成ビットストリームを合成し、ストリームデータ復号部１４００で合成ストリームを放送用信号に変換して出力することができる。
【０１１７】
以上の合成処理を簡単に表した模式図を、図５に示す。図５に示すように、ＴＳ合成の原理は、上記分散の逆の方法によるが、合成により復元できる映像の画質は、正常にデータ読み込みができた記憶装置（ＨＤＤ）の台数による。
【０１１８】
例えば、ベースデータ（Ｂ）とエンハンスデータ（Ｅ２）を合成した記憶用ビットストリーム（Ｂ＋Ｅ２）を記憶したデータ記憶装置１２２０と、記憶用ビットストリーム（Ｂ＋Ｅ３）を記憶したデータ記憶装置１２３０と、が故障してしまった場合、記憶用ビットストリーム（Ｂ＋Ｅ１）を記憶したデータ記憶装置１２１０と、記憶用ビットストリーム（Ｂ＋Ｅ４）を記憶したデータ記憶装置１２４０と、の２台から記憶用ビットストリームを入力し、映像を復元することができ、復元される映像品質は、合成ビットストリーム（Ｂ＋Ｅ１＋Ｅ４）から復号される映像の再生品質となる。
【０１１９】
また、エンハンスデータ（Ｅｎ）のそれぞれの符号量（情報量）を異なるように分散記憶させている場合には、データ読み込みができる記憶装置に記憶させたエンハンスデータ（Ｅｎ）の符号量による。
【０１２０】
したがって、放送用信号のためのデータを記憶したデータ記憶装置１２１０，１２２０，１２３０，１２４０のうちのいくつかが同時に故障しても、１台でもデータを読み出すことができる記憶装置が残っていれば、放送を中断せずに続けることができる。
【０１２１】
（第２の実施の形態）
本発明の第２の実施の形態における放送用信号分散記憶装置の構成を示すブロック図を、図６に示す。
【０１２２】
図６に示すように、本実施の形態の放送用信号分散記憶装置１００２は、ＴＳ分散部１１０２、ストリームデータ記憶部１２０２、ＴＳ合成部１３０２、ストリームデータ復号部１４０２、音声データ分離部１５０２および音声データ抽出部１６０２を備え、音声データ（Ａ）が含まれるＭＰＥＧ−ＴＳを入力し、音声データ（Ａ）も複数の記憶装置に分散して記憶し、放送用信号を出力するものである。
【０１２３】
ＴＳ分散部１１０２は、上記実施の形態のＴＳ分散部１１００と同様のものであり、ＭＰＥＧ−ＴＳを入力し、ベースデータ（Ｂ）と、エンハンスデータ（Ｅ）を複数生成し、前記ベースデータ（Ｂ）と、前記複数のエンハンスデータ（Ｅ）と、を任意に組み合わせ多重化し、複数の記憶用ビットストリームを生成するものである。
【０１２４】
ストリームデータ記憶部１２０２は、データ記憶装置１２１２，１２２２，１２３２，１２４２を備え、各データ記憶装置１２１２，１２２２，１２３２，１２４２は、記憶用ビットストリームを記憶するとともに、音声データ（Ａ）を記憶することができるものである。
【０１２５】
ＴＳ合成部１３０２は、記憶用データ多重分離部と、合成データ生成部と、を備えている。
【０１２６】
記憶用データ多重分離部は、上記実施の形態の記憶用多重分離部１３１０と同様のものであり、複数のデータ記憶装置１２１２，１２２２，１２３２，１２４２からそれぞれ前記記憶用ビットストリームを読み取り、ベースデータ（Ｂ）とエンハンスデータ（Ｅ）とを分離し、１つのベースデータ（Ｂ）と、互いに異なる複数のエンハンスデータ（Ｅ）と、を抽出するものである。
【０１２７】
合成データ生成部は、上記実施の形態の合成データ生成部１３２０と同様の機能に加え、ベースデータ（Ｂ）と、複数のエンハンスデータ（Ｅ）とともに、音声データ（Ａ）も合成するものである。
【０１２８】
ストリームデータ復号部１４０２は、上記実施の形態のストリームデータ復号部１４００と同様の機能に加え、音声データ（Ａ）も含めた合成ビットストリームを復号し、放送用信号に変換し送信するものである。さらに、ストリームデータ復号部１４０２は、音声データ（Ａ）を含まない合成ビットストリームと、音声データ（Ａ）と、を別々に入力し、復号して、復号した映像および音声を放送用信号に変換し、送信することもできる。
【０１２９】
音声データ分離部１５０２は、ＭＰＥＧ−ＴＳを入力し、ＭＰＥＧ−ＴＳの中から音声データ（Ａ）を分離し、音声データ（Ａ）と音声データ以外のＭＰＥＧ−ＴＳとを別々に出力するものである。
【０１３０】
音声データ抽出部１６０２は、ストリームデータ記憶部１２０２の各データ記憶装置１２１２，１２２２，１２３２，１２４２から音声データ（Ａ）を抽出し、出力するものである。また、この音声データ（Ａ）の抽出時には、すべてのデータ記憶装置から音声データ（Ａ）を読み出し、１つの音声データ（Ａ）を選択して出力してもよいし、１つのデータ記憶装置のみから音声データ（Ａ）を読み出し、該当のデータ記憶装置から読み出しができないときのみ他のデータ記憶装置から読み出すようにしてもよい。
【０１３１】
次に、本実施の形態における放送用信号分散記憶装置１００２の音声データ分散記憶処理動作について、説明する。
【０１３２】
まず、放送用信号分散記憶装置１００２では、ＭＰＥＧ−ＴＳを入力すると、音声データ分離部１５０２に取り込む。音声データ分離部１５０２では、ＭＰＥＧ−ＴＳの中から音声データ（Ａ）を分離し、音声データ（Ａ）とそれ以外のＭＰＥＧ−ＴＳとをそれぞれ出力する。また、このＭＰＥＧ−ＴＳの中から音声データ（Ａ）を分離したデータの代わりに、ＭＰＥＧ−ＴＳそのものを出力してもよい。
【０１３３】
ＴＳ分散部１１０２での処理は、上記実施の形態と同様で、上記音声データを除いたＭＰＥＧ−ＴＳを入力し、ベースデータ（Ｂ）と、４つのエンハンスデータ（Ｅ１）、（Ｅ２）、（Ｅ３）、（Ｅ４）を生成して、これらを多重化し、４つの記憶用ビットストリーム（Ｂ＋Ｅ１）、（Ｂ＋Ｅ２）、（Ｂ＋Ｅ３）、（Ｂ＋Ｅ４）を生成し、出力する。
【０１３４】
次に、ストリームデータ記憶部１２０２では、音声データ分離部１５０２から出力された音声データ（Ａ）と、ＴＳ分散部１１０２から出力された４つの記憶用ビットストリーム（Ｂ＋Ｅ１）、（Ｂ＋Ｅ２）、（Ｂ＋Ｅ３）、（Ｂ＋Ｅ４）を、それぞれのデータ記憶装置１２１２，１２２２，１２３２，１２４２で記憶する。これにより、データ記憶装置１２１２で音声データ（Ａ）と記憶用ビットストリーム（Ｂ＋Ｅ１）、データ記憶装置１２２２で音声データ（Ａ）と記憶用ビットストリーム（Ｂ＋Ｅ２）、データ記憶装置１２３２で音声データ（Ａ）と記憶用ビットストリーム（Ｂ＋Ｅ３）、データ記憶装置１２４２で音声データ（Ａ）と記憶用ビットストリーム（Ｂ＋Ｅ４）が記憶される。
【０１３５】
したがって、データ記憶装置１２１２，１２２２，１２３２，１２４２のうちの複数台に故障が発生してしまっても、残りの装置からデータを取り出して音声も復元することができる。さらに、音声データ（Ａ）は映像データに比べて小さいことと、音声データ（Ａ）の性質上分散を行うとノイズとなることが避けられないため、分散を行わず１つの音声データ（Ａ）として、全データ記憶装置１２１２，１２２２，１２３２，１２４２に対してデータ書き込みを行うこととした。もちろん、音声データ（Ａ）は、データ記憶装置１２１２，１２２２，１２３２，１２４２のすべてではなく、いくつかの記憶装置にのみ書き込むようにしてもよい。
【０１３６】
次に、音声データ抽出部１６０２がストリームデータ記憶部１２０２のデータ記憶装置１２１２，１２２２，１２３２，１２４２のすべて、あるいは、いずれかから音声データ（Ａ）を読み出し出力する。このとき、データ記憶装置１２１２，１２２２，１２３２，１２４２のすべてから音声データ（Ａ）を読み出すときには、その中の１つを選んで出力し、データ記憶装置１２１２，１２２２，１２３２，１２４２のいずれかから音声データ（Ａ）を読み出すときには、そのデータ記憶装置、例えばデータ記憶装置１２１２から音声データ（Ａ）が読み出せない場合には、他のデータ記憶装置、例えばデータ記憶装置１２２２から音声データ（Ａ）を読み出して出力する。
【０１３７】
ＴＳ合成部１３０２では、ストリームデータ記憶部１２０２から記憶用ビットストリーム（Ｂ＋Ｅ１）、（Ｂ＋Ｅ２）、（Ｂ＋Ｅ３）、（Ｂ＋Ｅ４）を、音声データ抽出部１６０２から音声データ（Ａ）を、それぞれ入力する。
【０１３８】
ＴＳ合成部１３０２の記憶用データ多重分離部では、上記実施の形態と同様に、入力した記憶用ビットストリーム（Ｂ＋Ｅ１）、（Ｂ＋Ｅ２）、（Ｂ＋Ｅ３）、（Ｂ＋Ｅ４）を、多重分離し、ベースデータ（Ｂ）と、エンハンスデータ（Ｅ１）、（Ｅ２）、（Ｅ３）、（Ｅ４）とに、それぞれ分離し、出力する。
【０１３９】
ＴＳ合成部１３０２の合成データ生成部では、記憶用データ多重分離部から出力されたベースデータ（Ｂ）、エンハンスデータ（Ｅ１）、（Ｅ２）、（Ｅ３）、（Ｅ４）を入力するとともに、音声データ抽出部１６０２から入力した音声データ（Ａ）を入力し、合成処理を行って合成ビットストリームを生成し、出力する。
【０１４０】
次に、ストリームデータ復号部１４０２では、ＴＳ合成部１３０２から合成ビットストリームを入力し、復号して映像信号および音声信号を生成する。生成した映像信号および音声信号は、放送用の映像信号および音声信号に変換し、送信する。
【０１４１】
また、ストリームデータ復号部１４０２では、ＴＳ合成部１３０２から音声データ（Ａ）を含まない合成ビットストリームを入力し、音声データ抽出部１６０２から音声データ（Ａ）を直接入力し、復号して映像信号および音声信号を生成し、生成した映像信号および音声信号を、放送用の映像信号および音声信号に変換し、送信することもできる。
【０１４２】
以上により、同時複数のデータ記憶装置（ＨＤＤ）障害に対しても、音声データを含む放送継続を行うことができる。
【０１４３】
（第３の実施の形態）
さらに、上記音声データ（Ａ）を記憶する放送用信号分散記憶装置の他の構成について説明する。本発明の第３の実施の形態における放送用信号分散記憶装置の構成は、図１に示す放送用信号分散記憶装置１０００と同様の構成であり、そのＴＳ分散部１１００およびＴＳ合成部１３００を、図７、図８に示すＴＳ分散部１１０３およびＴＳ合成部１３０３としたものである。
【０１４４】
図７に示すように、ＴＳ分散部１１０３は、ベースデータ生成部１１２３、エンハンスデータ生成部１１３３および記憶用データ多重化部１１４３を備え、ＭＰＥＧ−ＴＳを入力し、ベースデータ（Ｂ）と、複数のエンハンスデータ（Ｅ）と、音声データ（Ａ）と、を生成し、前記ベースデータ（Ｂ）と、前記複数のエンハンスデータ（Ｅ）と、前記音声データ（Ａ）と、を任意に組み合わせ多重化し、複数の記憶用ビットストリームを生成するものである。
【０１４５】
ベースデータ生成部１１２３は、音声データ（Ａ）と、ＭＰＥＧ−ＴＳの符号量を削減したベースデータ（Ｂ）を生成し、出力するものである。また、ベースデータ生成部１１２３は、入力したＭＰＥＧ−ＴＳと生成したベースデータ（Ｂ）との差分情報を出力する。
【０１４６】
エンハンスデータ生成部１１３３は、上記エンハンスデータ生成部１１３０と同様のものであり、上記差分情報を複数に分散し、それぞれエンハンスデータ（Ｅｎ）を生成するものである。
【０１４７】
記憶用データ多重化部１１４３は、ベースデータ生成部１１２３に生成されたベースデータ（Ｂ）および音声データ（Ａ）と、エンハンスデータ生成部１１３３に生成された複数のエンハンスデータ（Ｅ）と、を任意に組み合わせて多重化し、複数の記憶用ビットストリームを生成するものである。
【０１４８】
ストリームデータ記憶部１２００は、複数のデータ記憶装置１２１０，１２２０，１２３０，１２４０を備え、各データ記憶装置１２１０，１２２０，１２３０，１２４０は、記憶用データ多重化部１１４３に音声データ（Ａ）とともに多重化された前記記憶用ビットストリームを、それぞれ記憶するものである。
【０１４９】
図８に示すように、ＴＳ合成部１３０３は、記憶用データ多重分離部１３１３および合成データ生成部１３２３を備え、ストリームデータ記憶部１２００に記憶された複数の記憶用ビットストリームを入力し、ベースデータ（Ｂ）と複数のエンハンスデータ（Ｅ）と音声データ（Ａ）とに分けてそれぞれを合成して、合成ビットストリームを生成するものである。
【０１５０】
記憶用データ多重分離部１３１３は、複数のデータ記憶装置１２１０，１２２０，１２３０，１２４０からそれぞれ記憶用ビットストリームを読み取り、ベースデータ（Ｂ）とエンハンスデータ（Ｅｎ）と音声データ（Ａ）とを分離し、１つのベースデータ（Ｂ）と、互いに異なる複数のエンハンスデータ（Ｅｎ）と、１つの音声データ（Ａ）と、を抽出するものである。
【０１５１】
合成データ生成部１３２３は、記憶用データ多重分離部１３１３に抽出された前記ベースデータ（Ｂ）と、複数の前記エンハンスデータ（Ｅｎ）と、前記音声データ（Ａ）と、を合成して、合成ビットストリームを生成するものである。
【０１５２】
このような構成により、ＴＳ分散部１１０３において、ＭＰＥＧ−ＴＳから音声データ（Ａ）を含んだ記憶用ビットストリームを生成して、ストリームデータ記憶部１２００の各データ記憶装置１２１０，１２２０，１２３０，１２４０で映像と音声が多重化された記憶用ビットストリームが記憶される。ＴＳ合成部１３０３では、上記記憶用ビットストリームをいったん各データに分離して合成ビットストリームを生成する。
【０１５３】
したがって、音声データ分離部や音声データ抽出部を設けなくても、同時複数のデータ記憶装置（ＨＤＤ）障害に対しても、音声データを含む放送継続を行うことができる。
【産業上の利用可能性】
【０１５４】
以上のように、本発明にかかる放送用信号分散記憶装置および放送用信号送信装置は、複数の符号化信号記憶装置（データ記憶装置）が故障しても他の基本符号化信号（ベースデータ(Ｂ)）が記憶されている符号化信号記憶装置からデータを取り出すことによって放送を継続することができるとともに、放送用のデータを記憶しておく記憶容量も小さくすることができるという効果を有し、放送用途の番組等を記憶する放送用信号の記憶装置および送信装置等として有用である。
【図面の簡単な説明】
【０１５５】
【図１】本発明の第１の実施の形態における放送用信号分散記憶装置を示すブロック図である。
【図２】本発明の第１の実施の形態におけるＴＳ分散部を示すブロック図である。
【図３】本発明の第１の実施の形態におけるＴＳ合成部を示すブロック図である。
【図４】本発明の第１の実施の形態における分散記憶処理を示す模式図である。
【図５】本発明の第１の実施の形態における合成処理を示す模式図である。
【図６】本発明の第２の実施の形態における放送用信号分散記憶装置を示すブロック図である。
【図７】本発明の第３の実施の形態におけるＴＳ分散部を示すブロック図である。
【図８】本発明の第３の実施の形態におけるＴＳ合成部を示すブロック図である。
【図９】従来のディスクアレイ技術のＲＡＩＤ０（ＨＤＤが４台の場合）を示すシステム構成図である。
【図１０】従来のディスクアレイ技術のＲＡＩＤ１（ＨＤＤが２台）を示すシステム構成図である。
【図１１】従来のディスクアレイ技術のＲＡＩＤ５（ＨＤＤが４台の場合）を示すシステム構成図である。
【図１２】従来のディスクアレイ制御装置（ＨＤＤが３台）を示すシステム構成図である。
【符号の説明】
【０１５６】
５  システムバス
６  ディスクアレイ制御装置
７  ディスクコントローラ
１１  テープドライブ
２０  ＲＡＩＤ０の０番目のＨＤＤ
２１  ＲＡＩＤ０の１番目のＨＤＤ
２２  ＲＡＩＤ０の２番目のＨＤＤ
２３  ＲＡＩＤ０の３番目のＨＤＤ
３０  ＲＡＩＤ１の０番目のＨＤＤ
３１  ＲＡＩＤ１の１番目のＨＤＤ
４０  ＲＡＩＤ５の０番目のＨＤＤ
４１  ＲＡＩＤ５の１番目のＨＤＤ
４２  ＲＡＩＤ５の２番目のＨＤＤ
４３  ＲＡＩＤ５の３番目のＨＤＤ
５０  ディスクアレイ制御装置
５１  ディスクアレイ制御回路
５２  切り替え回路
５３  ディスクアレイの０番目のＨＤＤ
５４  ディスクアレイの１番目のＨＤＤ
５５  ディスクアレイの２番目のＨＤＤ
１０００、１００２  放送用信号分散記憶装置
１１００、１１０２、１１０３  ＴＳ分散部
１１２０、１１２３  ベースデータ生成部
１１３０、１１３３  エンハンスデータ生成部
１１４０、１１４３  記憶用データ多重化部
１２００、１２０２  ストリームデータ記憶部
１２１０、１２２０、１２３０、１２４０、
１２１２、１２２２、１２３２、１２４２  データ記憶装置
１３００、１３０２、１３０３  ＴＳ合成部
１３１０、１３１３  記憶用データ多重分離部
１３２０、１３２３  合成データ生成部
１４００、１４０２  ストリームデータ復号部
１５０２  音声データ分離部
１６０２  音声データ抽出部
【図１】
2006050142.tif 000003
【図２】
2006050142.tif 000004
【図３】
2006050142.tif 000005
【図４】
2006050142.tif 000006
【図５】
2006050142.tif 000007
【図６】
2006050142.tif 000008
【図７】
2006050142.tif 000009
【図８】
2006050142.tif 000010
【図９】
2006050142.tif 000011
【図１０】
2006050142.tif 000012
【図１１】
2006050142.tif 000013
【図１２】
2006050142.tif 000014